(57)【要約】    【課題】  色収差の発生を軽減することができ、高ズーム比で全ズーム領域で良好な光学特性が得られる小型のズームレンズを得ること。    【解決手段】  正の屈折力の第１レンズ群、負の屈折力の第２レンズ群、開口絞り、正の屈折力の第３レンズ群、正の屈折力の第４レンズ群、１つ以上のレンズ群を有する後群より構成され、ズーミングに際して、隣り合うレンズ群の間隔が変化するズームレンズにおいて、第４レンズ群は１枚以上の正レンズを有し、広角端から望遠端へのズーミングに際しての前記第４レンズ群の移動量ｍ４、広角端における開口絞りと第４レンズ群との距離Ｄｓ４ｗ、望遠端における開口絞りと第４レンズ群との距離Ｄｓ４ｔ、第４レンズ群の焦点距離ｆ４、広角端における全系の焦点距離ｆｗ、広角端におけるレンズ全長Ｌｗ、正レンズの材料のｄ線に対するアッベ数をνｄｐ、正レンズの材料のｇ線とＦ線における部分分散比θｇＦｐを各々適切に設定すること。【選択図】    図１
2019113610.tif 000002
【特許請求の範囲】
【請求項１】
物体側より像側へ順に配置された、正の屈折力の第１レンズ群、負の屈折力の第２レンズ群、開口絞り、正の屈折力の第３レンズ群、正の屈折力の第４レンズ群、１つ以上のレンズ群を有する後群より構成され、ズーミングに際して、隣り合うレンズ群の間隔が変化するズームレンズにおいて、
前記第４レンズ群は１枚以上の正レンズを有し、
広角端から望遠端へのズーミングに際しての前記第４レンズ群の移動量をｍ４、広角端における前記開口絞りと前記第４レンズ群との距離をＤｓ４ｗ、望遠端における前記開口絞りと前記第４レンズ群との距離をＤｓ４ｔ、前記第４レンズ群の焦点距離をｆ４、広角端における全系の焦点距離をｆｗ、広角端におけるレンズ全長をＬｗ、前記正レンズの材料のｄ線に対するアッベ数をνｄｐ、前記正レンズの材料のｇ線とＦ線における部分分散比をθｇＦｐとするとき、
０．２＜−ｍ４／Ｌｗ＜１．０
０．１＜（Ｄｓ４ｗ−Ｄｓ４ｔ）／Ｌｗ＜０．２
３．０＜ｆ４／ｆｗ＜４．５
０．０＜θｇＦｐ―（０．６４３８―０．００１６８２×νｄｐ）
なる条件式を満足することを特徴とするズームレンズ。
【請求項２】
前記正レンズの材料のｄ線に対するアッベ数νｄｐは、
νｄｐ＞６０
なる条件式を満足することを特徴とする請求項１に記載のズームレンズ。
【請求項３】
広角端における、前記開口絞りと前記第３レンズ群との距離をＤｓ３ｗ、望遠端における、前記開口絞りと前記第３レンズ群との距離をＤｓ３ｔとするとき、
０．０＜（Ｄｓ３ｗ−Ｄｓ３ｔ）／Ｌｗ＜０．２
なる条件式を満足することを特徴とする請求項１または２に記載のズームレンズ。
【請求項４】
広角端における、前記第４レンズ群と像面との距離をＤ４ｉｗとするとき、
０．０＜Ｄ４ｉｗ／Ｌｗ＜０．３
なる条件式を満足することを特徴とする請求項１乃至３のいずれか１項に記載のズームレンズ。
【請求項５】
望遠端における全系の焦点距離をｆｔとするとき、
０．４＜ｆ４／ｆｔ＜０．８
なる条件式を満足することを特徴とする請求項１乃至４のいずれか１項に記載のズームレンズ。
【請求項６】
前記第４レンズ群は、１枚の正レンズからなることを特徴とする請求項１乃至５のいずれか１項に記載のズームレンズ。
【請求項７】
前記第４レンズ群は、正レンズと負レンズを接合した接合レンズからなることを特徴とする請求項１乃至５のいずれか１項に記載のズームレンズ。
【請求項８】
広角端における前記第１レンズ群から前記第４レンズ群までのレンズ系の合成焦点距離をｆ１２３４ｗとするとき、
０．８＜ｆ１２３４ｗ／ｆｗ＜１．５
なる条件式を満足することを特徴とする請求項１乃至７のいずれか１項に記載のズームレンズ。
【請求項９】
前記後群は、２つ以上のレンズ群を有することを特徴とする請求項１乃至８のいずれか１項に記載のズームレンズ。
【請求項１０】
前記後群は、物体側から像側へ順に配置された、負の屈折力の第５レンズ群、正の屈折力の第６レンズ群から構成されることを特徴とする請求項９に記載のズームレンズ。
【請求項１１】
前記後群は、物体側から像側へ順に配置された、正の屈折力の第５レンズ群、負の屈折力の第６レンズ群、正の屈折力の第７レンズ群から構成されることを特徴とする請求項９に記載のズームレンズ。
【請求項１２】
前記後群は、物体側から像側へ順に配置された、正の屈折力の第５レンズ群、負の屈折力の第６レンズ群から構成されることを特徴とする請求項９に記載のズームレンズ。
【請求項１３】
広角端から望遠端へのズーミングに際し、前記第１レンズ群は像側に凸状の軌跡で移動し、前記第３レンズ群は物体側へ移動し、前記第４レンズ群は物体側へ移動することを特徴とする請求項１乃至１２のいずれか１項に記載のズームレンズ。
【請求項１４】
請求項１乃至１３のいずれか１項に記載のズームレンズと、前記ズームレンズによって形成される像を受光する光電変換素子とを有することを特徴とする撮像装置。
【発明の詳細な説明】
【技術分野】
【０００１】
本発明は、ズームレンズ及びそれを有する撮像装置に関し、例えばデジタルスチルカメラ、デジタルビデオカメラ、監視用カメラ、ＴＶカメラ等の撮像装置に用いられる撮像光学系として好適なものである。
【背景技術】
【０００２】
近年、撮像装置に用いられるズームレンズは、ズーム全域において画面全体にわたり高い光学性能を有し、かつ全系が小型であること等が要求されている。従来より高ズーム比化に有利なズームレンズとして、最も物体側のレンズ群が正の屈折力を有するポジティブリードのズームレンズが知られている。
【０００３】
ポジティブリードのズームレンズの多くは、広角端においてレトロフォーカス型となり、望遠端においてテレフォト型となる。このため、各レンズ面における軸上マージナル光線の入射高さや軸外主光線の入射高さが大きく変化する。そのためにズーミングに際して、諸収差、特に軸上色収差と倍率色収差等の色収差の変動が大きくなってくる。
【０００４】
従来、軸上マージナル光線の入射高さが高くなる開放絞り近傍に蛍石などの異常部分分散を持った低分散材料で構成した正レンズを配置することで、ズーム全域で軸上色収差を良好に補正したポジティブリードのズームレンズが知られている（特許文献１，２）。
【０００５】
特許文献１では、物体側から像側へ順に、正の屈折力の第１レンズ群、負の屈折力の第２レンズ群、開放絞り、正の屈折力の第３レンズ群、正の屈折力の第４レンズ群からなるズームレンズを開示している。そして第４レンズ群に含まれるいずれかのレンズに異常部分分散を持った低分散材料を用いたズームレンズを開示している。
【０００６】
特許文献２では、物体側から像側へ順に、正の屈折力の第１レンズ群、負の屈折力の第２レンズ群、開放絞り、正の屈折力の第３レンズ群、正の屈折力の第４レンズ群、正の屈折力の第５レンズからなるズームレンズを開示している。そして第４レンズ群に含まれるレンズに異常部分分散を持った低分散材料を用いたズームレンズを開示している。
【先行技術文献】
【特許文献】
【０００７】
【特許文献１】特開２０１６−１１４８００号公報
【特許文献２】特開２００６−１７１０３９号公報
【発明の概要】
【発明が解決しようとする課題】
【０００８】
ポジティブリード型のズームレンズは全系の小型化を図りつつ、高ズーム比化を図ることが比較的容易である。多くのポジティブリード型のズームレンズにおいて、望遠端での焦点距離を長く（長焦点距離化）しつつ、高ズーム比化を図ると全ズーム領域において、軸上色収差や倍率色収差等の色収差が多く発生してくる。ポジティブリード型のズームレンズにおいて、レンズ全長を短縮しつつ、前玉有効径を小型化すると多くの場合、全ズーム領域において軸上色収差と倍率色収差が増大し、これらの諸収差を補正することが困難になってくる。
【０００９】
また多くのズームレンズにおいては、撮像画角の増加に伴う短波長側の倍率色収差の曲がり方は、広角端と望遠端とで異なる。そのために、開放絞りから像側にある正レンズに異常部分分散性の材料を適用することは、倍率色収差に対して広角端では有効であるが、望遠端では有効でない。
【００１０】
前述したポジティブリード型のズームレンズにおいて、広角端で第４レンズ群が開放絞りから近くてかつ像面から遠くに配置されると、前玉有効径を小型化した場合、軸外主光線の入射高さの高いレンズ群は第１レンズ群となる。そうすると、広角端において倍率色収差の補正が困難となる。
【００１１】
一方、望遠端で第４レンズ群が開放絞りから遠くて、かつ像面から近くに配置されると、前玉有効径を小型化した場合、第４レンズ群における軸外主光線の入射高さは、第１レンズ群と比べて相対的に高くなる。そうすると、望遠端において倍率色収差の補正が困難になる。
【００１２】
前述したポジティブリード型のズームレンズにおいて、全系の小型化を図りつつ、高ズーム比化を達成するには開口絞りと第４レンズ群との関係や第４レンズ群のレンズ構成等を適切に設定することが重要になってくる。これらの構成を適切に設定しないと、全系の小型化を図りつつ、色収差を良好に補正し、全ズーム範囲で高い光学性能のズームレンズを得るのが難しくなってくる。
【００１３】
本発明は、色収差の発生を軽減することができ、高ズーム比で全ズーム領域で良好な光学特性が得られる小型のズームレンズ及びそれを有する撮像装置の提供を目的とする。
【課題を解決するための手段】
【００１４】
本発明のズームレンズは、物体側より像側へ順に配置された、正の屈折力の第１レンズ群、負の屈折力の第２レンズ群、開口絞り、正の屈折力の第３レンズ群、正の屈折力の第４レンズ群、１つ以上のレンズ群を有する後群より構成され、ズーミングに際して、隣り合うレンズ群の間隔が変化するズームレンズにおいて、
前記第４レンズ群は１枚以上の正レンズを有し、
広角端から望遠端へのズーミングに際しての前記第４レンズ群の移動量をｍ４、広角端における前記開口絞りと前記第４レンズ群との距離をＤｓ４ｗ、望遠端における前記開口絞りと前記第４レンズ群との距離をＤｓ４ｔ、前記第４レンズ群の焦点距離をｆ４、広角端における全系の焦点距離をｆｗ、広角端におけるレンズ全長をＬｗ、前記正レンズの材料のｄ線に対するアッベ数をνｄｐ、前記正レンズの材料のｇ線とＦ線における部分分散比をθｇＦｐとするとき、
０．２＜−ｍ４／Ｌｗ＜１．０
０．１＜（Ｄｓ４ｗ−Ｄｓ４ｔ）／Ｌｗ＜０．２
３．０＜ｆ４／ｆｗ＜４．５
０．０＜θｇＦｐ―（０．６４３８―０．００１６８２×νｄｐ）
なる条件式を満足することを特徴としている。
【発明の効果】
【００１５】
本発明によれば、色収差の発生を軽減することができ、高ズーム比で全ズーム領域で良好な光学特性が得られる小型のズームレンズが得られる。
【図面の簡単な説明】
【００１６】
【図１】実施例１のズームレンズにおいて無限遠物体にフォーカシングしたときのレンズ断面図
【図２】（Ａ）、（Ｂ）、（Ｃ）  実施例１のズームレンズにおいて無限遠物体にフォーカシングしたときの広角端、中間のズーム位置、望遠端での縦収差図
【図３】実施例２のズームレンズにおいて無限遠物体にフォーカシングしたときのレンズ断面図
【図４】（Ａ）、（Ｂ）、（Ｃ）  実施例２のズームレンズにおいて無限遠物体にフォーカシングしたときの広角端、中間のズーム位置、望遠端での縦収差図
【図５】実施例３のズームレンズにおいて無限遠物体にフォーカシングしたときのレンズ断面図
【図６】（Ａ）、（Ｂ）、（Ｃ）  実施例３のズームレンズにおいて無限遠物体にフォーカシングしたときの広角端、中間のズーム位置、望遠端での縦収差図
【図７】実施例４のズームレンズにおいて無限遠物体にフォーカシングしたときのレンズ断面図
【図８】（Ａ）、（Ｂ）、（Ｃ）  実施例４のズームレンズにおいて無限遠物体にフォーカシングしたときの広角端、中間のズーム位置、望遠端での縦収差図
【図９】本発明の撮像装置の要部概略図
【発明を実施するための形態】
【００１７】
以下に本発明の好ましい実施の形態を、添付の図面に基づいて詳細に説明する。本発明のズームレンズは、物体側から像側へ順に配置された次のレンズ群より構成されている。正の屈折力（光学的パワー＝焦点距離の逆数）の第１レンズ群、負の屈折力の第２レンズ群、開口絞り、正の屈折力の第３レンズ群、正の屈折力の第４レンズ群、１以上のレンズ群を含む後群より構成されている。ズーミングに際しては隣り合うレンズ群の間隔が変化する。
【００１８】
図１は実施例１の広角端におけるレンズ断面図である。図２（Ａ），（Ｂ），（Ｃ）は実施例１の広角端（短焦点距離端），中間のズーム位置，望遠端（長焦点距離端）における収差図である。実施例１はズーム比４．７１、開口比（Ｆナンバー）２．０６〜４．１２程度のズームレンズである。
【００１９】
図３は実施例２の広角端におけるレンズ断面図である。図４（Ａ），（Ｂ），（Ｃ）は実施例２の広角端，中間のズーム位置，望遠端における収差図である。実施例２はズーム比４．６９、開口比１．８５〜２．８８程度のズームレンズである。
【００２０】
図５は実施例３の広角端におけるレンズ断面図である。図６（Ａ），（Ｂ），（Ｃ）は実施例３の広角端，中間のズーム位置，望遠端における収差図である。実施例３はズーム比４．６９、開口比１．８５〜２．８８程度のズームレンズである。
【００２１】
図７は実施例４の広角端におけるレンズ断面図である。図８（Ａ），（Ｂ），（Ｃ）は実施例４の広角端，中間のズーム位置，望遠端における収差図である。実施例４はズーム比４．７１、開口比１．８５〜２．８８程度のズームレンズである。
【００２２】
図９は本発明のズームレンズを備えるデジタルスチルカメラ（撮像装置）の要部概略図である。
【００２３】
各実施例のズームレンズはビデオカメラ、デジタルスチルカメラ、監視カメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、ＬＡはズームレンズである。ｉを物体側からのレンズ群の順番とすると、Ｂｉは第ｉレンズ群を示す。ＬＲは１以上のレンズ群を有する後群である。
【００２４】
Ｇｐは正レンズである。ＳＰは開口絞りである。ＦＰはフレアーカット絞りである。ＦＬは光学フィルター、フェースプレート、ローパスフィルター、赤外カットフィルターなどに相当する光学ブロックである。ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。
【００２５】
矢印は広角端から望遠端へのズーミング（変倍）に際して、各レンズ群と開口絞りＳＰの移動軌跡を示している。球面収差図において、実線のｄはｄ線（波長５８７．６ｎｍ）、二点鎖線のｇはｇ線（波長４３５．８ｎｍ）である。非点収差図で実線のＳはｄ線におけるサジタル像面、破線のＭはｄ線におけるメリディオナル像面である。歪曲収差はｄ線について示している。倍率色収差図においてｇはｇ線であり、ｄ線に対する値を示している。
【００２６】
ＦｎｏはＦナンバー、ωは撮影画角の半画角（度）を示す。歪曲収差図は、全系の焦点距離をｆ、理想像高をＹとするとき、
Ｙ＝２ｆ×ｔａｎ（ω／２）
とし、それからのずれ量を示す。
【００２７】
尚、以下の各実施例において広角端と望遠端は変倍用のレンズ群が機構上、光軸上を移動可能な範囲の両端に位置したときのズーム位置をいう。
【００２８】
各実施例のズームレンズは物体側より像側へ順に配置された、正の屈折力の第１レンズ群Ｂ１、負の屈折力の第２レンズ群Ｂ２、開口絞りＳＰ、正の屈折力の第３レンズ群Ｂ３、正の屈折力の第４レンズ群Ｂ４、１つ以上のレンズ群を有する後群より構成される。広角端から望遠端へのズーミングに際し、第１レンズ群Ｂ１は像側に凸状の軌跡で移動し、第３レンズ群Ｂ３は物体側へ移動し、第４レンズ群Ｂ４は物体側へ移動する。そしてズーミングに際して、隣り合うレンズ群の間隔が変化する。
【００２９】
広角端から望遠端へのズーミングに際しての第４レンズ群Ｂ４の移動量をｍ４とする。ここでレンズ群の移動量とは広角端と望遠端におけるレンズ群の光軸上の位置の差をいい、移動量の符号はレンズ群が広角端と比べて望遠端において像側に位置するときを正、物体側に位置するときを負とする。
【００３０】
広角端における開口絞りＳＰと第４レンズ群Ｂ４との距離をＤｓ４ｗ、望遠端における開口絞りＳＰと第４レンズ群Ｂ４との距離をＤｓ４ｔとする。第４レンズ群Ｂ４の焦点距離をｆ４、広角端における全系の焦点距離をｆｗ、広角端におけるレンズ全長をＬｗとする。第４レンズ群Ｂ４は１枚以上の正レンズを有し、第４レンズ群Ｂ４に含まれる正レンズＧｐの材料のｄ線に対するアッベ数をνｄｐ、正レンズＧｐの材料のｇ線とＦ線における部分分散比をθｇＦｐとする。
【００３１】
このとき、
０．２＜−ｍ４／Ｌｗ＜１．０                    ・・・（１）
０．１＜（Ｄｓ４ｗ−Ｄｓ４ｔ）／Ｌｗ＜０．２    ・・・（２）
３．０＜ｆ４／ｆｗ＜４．５                      ・・・（３）
０．０＜θｇＦｐ―（０．６４３８―０．００１６８２×νｄｐ）    ・・・（４）
なる条件式を満足する。
【００３２】
なお、材料のアッベ数νｄ、部分分散比θｇＦはフラウンホーファ線のｄ線、Ｆ線、Ｃ線、ｇ線における屈折率をＮｄ、ＮＦ、ＮＣ、Ｎｇとするとき、
νｄ＝（Ｎｄ−１）／（ＮＦ−ＮＣ）
θｇＦ＝（Ｎｇ−ＮＦ）／（ＮＦ−ＮＣ）
次に前述の条件式の技術的意味について説明する。条件式（１）は、全系の小型化を図りつつ望遠端における倍率色収差を良好に補正するためのものであり、第４レンズ群Ｂ４の広角端から望遠端へのズーミングにおける移動量と広角端におけるレンズ全長との比を適切に定めたものである。
【００３３】
条件式（１）の上限値を超えて、第４レンズ群Ｂ４の移動量が大きくなると、望遠端におけるレンズ全長を短くすることが困難になる。条件式（１）の下限値を超えて、第４レンズ群Ｂ４の移動量が小さくなると、望遠端において第４レンズ群Ｂ４が像面に近くなるために軸外主光線の入射高さが大きくなり、望遠端における倍率色収差を補正することが困難になる。
【００３４】
条件式（２）は、広角端における軸上色収差の補正と倍率色収差の補正を良好に行うためのものであり、開放絞りＳＰと第４レンズ群Ｂ４との間隔の広角端から望遠端における変化と広角端におけるレンズ全長との比を適切に定めたものである。条件式（２）の上限値を超えて、開放絞りＳＰと第４レンズ群Ｂ４との間隔変化が大きくなると、広角端において第４レンズ群Ｂ４が開放絞りＳＰから遠くなる。このために軸上マージナル光線の入射高さが小さくなり、広角端における軸上色収差を良好に補正が困難になる。
【００３５】
条件式（２）の下限値を超えて、開放絞りＳＰと第４レンズ群Ｂ４との間隔変化が小さくなると、広角端において第４レンズ群Ｂ４が開放絞りＳＰに近くなり像面から遠くなる。このために軸外主光線の入射高さが小さくなり、広角端における倍率色収差を良好に補正が困難になる。
【００３６】
条件式（３）は、広角端と望遠端における軸上色収差と倍率色収差を良好に補正するためのものであり、第４レンズ群Ｂ４の焦点距離と広角端における全系の焦点距離との比を適切に定めたものである。条件式（３）の上限値を超えて、第４レンズ群Ｂ４の屈折力が弱くなると、広角端と望遠端において軸上色収差と倍率色収差を良好に補正することが困難になる。条件式（３）の下限値を超えて、第４レンズ群Ｂ４の正の屈折力が強くなると、ズーミングに際しての軸上色収差変動を低減することが困難になる。
【００３７】
条件式（４）は、広角端における軸上色収差と倍率色収差の補正と望遠端における軸上色収差の補正を良好に行うためのものであり、第４レンズ群Ｂ４に含まれる正レンズＧｐの材料の異常部分分散性を適切に定めたものである。条件式（４）の下限値を超えて、異常部分分散性が低くなると、広角端における軸上色収差と倍率色収差の補正や望遠端における軸上色収差の補正を良好に行うことが困難になる。
【００３８】
尚、更に好ましくは、条件式（１）乃至条件式（４）の数値範囲を以下のように設定するのが望ましい。
０．２２＜−ｍ４／Ｌｗ＜０．４０    ・・・（１ａ）
０．１０＜（Ｄｓ４ｗ−Ｄｓ４ｔ）／Ｌｗ＜０．１５    ・・・（２ａ）
３．０＜ｆ４／ｆｗ＜４．０          ・・・（３ａ）
０．０１＜θｇＦｐ−（０．６４３８−０．００１６８２×νｄｐ）  ・・・（４ａ）
【００３９】
以上のように、本発明によれば、ズーム全域で軸上色収差と倍率色収差を良好に補正して小型なズームレンズを得ることができる。
【００４０】
本発明において、更に好ましくは以下の条件式の１つ以上を満足することが望ましい。広角端における開口絞りＳＰと、第３レンズ群Ｂ３との距離をＤｓ３ｗとする。望遠端における開口絞りＳＰと、第３レンズ群Ｂ３との距離をＤｓ３ｔとする。広角端における第４レンズ群Ｂ４と像面との距離をＤ４ｉｗとする。望遠端における全系の焦点距離をｆｔとする。広角端における第１レンズ群Ｂ１から第４レンズ群Ｂ４までのレンズ系の合成焦点距離をｆ１２３４ｗとする。
【００４１】
このとき、次の条件式のうち１つ以上を満足するのが良い。
νｄｐ＞６０                                  ・・・（５）
０．０＜（Ｄｓ３ｗ−Ｄｓ３ｔ）／Ｌｗ＜０．２  ・・・（６）
０．０＜Ｄ４ｉｗ／Ｌｗ＜０．３                ・・・（７）
０．４＜ｆ４／ｆｔ＜０．８                    ・・・（８）
０．８＜ｆ１２３４ｗ／ｆｗ＜１．５          ・・・（９）
【００４２】
次に前述の各条件式の技術的意味について説明する。条件式（５）は、広角端と望遠端における軸上色収差と倍率色収差を良好に補正するためのものであり、第４レンズ群Ｂ４に含まれる正レンズＧｐの材料のｄ線に対するアッベ数を適切に定めたものである。条件式（５）の下限値を超えて、正レンズＧｐの材料のアッベ数が小さくなると、広角端と望遠端における軸上色収差と倍率色収差の補正が困難になる。
【００４３】
条件式（６）は、レンズ外径と望遠端におけるレンズ全長の短縮化のためのものであり、広角端から望遠端における開放絞りＳＰと第３レンズ群Ｂ３との間隔変化と広角端におけるレンズ全長の比を適切に定めたものである。条件式（６）の上限値を超えて、広角端において第３レンズ群Ｂ３が開口絞りＳＰから離れると、第３レンズ群Ｂ３の有効外径が大きくなり、レンズ外径を小型化することが困難になる。条件式（６）の下限値を超えて、望遠端において第３レンズ群Ｂ３が開口絞りＳＰから離れると、望遠端におけるレンズ全長を短縮化することが困難になる。
【００４４】
条件式（７）は、広角端における軸上色収差の補正と倍率色収差の補正を良好に行うためのものであり、広角端における第４レンズ群Ｂ４から像面までの距離と広角端におけるレンズ全長との比を適切に定めたものである。条件式（７）の上限値を超えて、広角端において第４レンズ群Ｂ４が像面から遠ざかると、軸外主光線の入射高さを大きくすることが困難となり、広角端における倍率色収差の補正が困難になる。
【００４５】
条件式（７）の下限値を超えて、広角端において第４レンズ群Ｂ４が像面に近くなると、第４レンズ群Ｂ４が開口絞りＳＰから遠くなり軸上マージナル光線の入射高さを大きくすることが困難となり、広角端における軸上色収差の補正が困難になる。
【００４６】
条件式（８）は、広角端と望遠端における軸上色収差と倍率色収差を良好に補正するためのものであり、第４レンズ群Ｂ４の焦点距離と望遠端における全系の焦点距離との比を適切に定めたものである。条件式（８）の上限値を超えて、第４レンズ群Ｂ４の正の屈折力が弱くなると、広角端と望遠端において軸上色収差と倍率色収差を良好に補正することが困難になる。条件式（８）の下限値を超えて、第４レンズ群Ｂ４の正の屈折力が強くなると、ズーミングに際しての軸上色収差の変動を低減することが困難になる。
【００４７】
条件式（９）は、広角端における倍率色収差を良好に補正するためのものであり、広角端における第１レンズ群Ｂ１から第４レンズ群Ｂ４までのレンズ系の合成焦点距離と広角端における全系の焦点距離との比を適切に定めたものである。条件式（９）の上限値を超えて、広角端における第１レンズ群Ｂ１から第４レンズ群Ｂ４までのレンズ系の屈折力が広角端におけるレンズ全系の屈折力と比べて弱くなると、第４レンズ群Ｂ４より像側にある後群ＬＲの屈折力が大きくなる。すると、第４レンズ群Ｂ４における軸外主光線の入射高さが低くなり、広角端における倍率色収差を良好に補正することが困難になる。
【００４８】
条件式（９）の下限値を超えて、広角端における第１レンズ群Ｂ１から第４レンズ群Ｂ４までのレンズ系の屈折力が広角端における全系の屈折力と比べて強くなると、第４レンズ群Ｂ４より像側にある後群ＬＲの屈折力が負となる。すると、第４レンズ群Ｂ４における軸外主光線の入射高さが低くなり、広角端における倍率色収差を良好に補正することが困難になる。また、軸外光束の像面への入射角を小さくすることが困難になる。
【００４９】
尚、各実施例において更に好ましくは、条件式（３）乃至（５）の数値範囲を以下のように設定するのが望ましい。
νｄｐ＞６５                                      ・・・（５ａ）
０．０３＜（Ｄｓ３ｗ−Ｄｓ３ｔ）／Ｌｗ＜０．１０  ・・・（６ａ）
０．１５＜Ｄ４ｉｗ／Ｌｗ＜０．２８                ・・・（７ａ）
０．６０＜ｆ４／ｆｔ＜０．７８                    ・・・（８ａ）
０．８２＜ｆ１２３４ｗ／ｆｗ＜１．１５            ・・・（９ａ）
【００５０】
各実施例においてレンズ全長の短縮化のためには、第４レンズ群Ｂ４は１枚の正レンズからなることが良い。または第４レンズ群Ｂ４は正レンズと負レンズを接合した接合レンズよりなることが良い。
【００５１】
次に各実施例のズームレンズＬＡのレンズ構成について説明する。
［実施例１］
本発明の実施例１のズームレンズのレンズ構成は物体側より像側へ順に、次のとおりである。正の屈折力の第１レンズ群Ｂ１、負の屈折力の第２レンズ群Ｂ２、正の屈折力の第３レンズ群Ｂ３、正の屈折力の第４レンズ群Ｂ４、負の屈折力の第５レンズ群Ｂ５、正の屈折力の第６レンズ群Ｂ６より構成されている。後群ＬＲは第５レンズ群Ｂ５と第６レンズ群Ｂ６より構成されている。第４レンズ群Ｂ４は、１枚の正レンズＧｐからなり、正レンズＧｐの材料の部分分散比θｇＦｐは０．５３７５である。
【００５２】
［実施例２］
本発明の実施例２のズームレンズにおけるレンズ群の数、各レンズ群の屈折力の符号は実施例１と同じである。第４レンズ群Ｂ４は、１枚の正レンズＧｐと１枚の負レンズを接合した接合レンズからなり、正レンズＧｐの材料の部分分散比θｇＦｐは０．５３７５である。
【００５３】
［実施例３］
本発明の実施例３のズームレンズのレンズ構成は物体側より像側へ順に、次のとおりである。正の屈折力の第１レンズ群Ｂ１、負の屈折力の第２レンズ群Ｂ２、正の屈折力の第３レンズ群Ｂ３、正の屈折力の第４レンズ群Ｂ４、正の屈折力の第５レンズ群Ｂ５、負の屈折力の第６レンズ群Ｂ６、正の屈折力の第７レンズ群Ｂ７より構成されている。後群ＬＲは第５レンズ群Ｂ５、第６レンズ群Ｂ６、第７レンズ群Ｂ７より構成されている。第４レンズ群Ｂ４は、１枚の正レンズＧｐからなり、正レンズＧｐの材料の部分分散比θｇＦｐは０．５３７５である。
【００５４】
［実施例４］
本発明の実施例４のズームレンズのレンズ構成は物体側より像側へ順に、次のとおりである。正の屈折力の第１レンズ群Ｂ１、負の屈折力の第２レンズ群Ｂ２、正の屈折力の第３レンズ群Ｂ３、正の屈折力の第４レンズ群Ｂ４、正の屈折力の第５レンズ群Ｂ５、負の屈折力の第６レンズ群Ｂ６より構成されている。後群ＬＲは第５レンズ群Ｂ５と第６レンズ群Ｂ６より構成されている。第４レンズ群Ｂ４は、１枚の正レンズＧｐからなり、正レンズＧｐの材料の部分分散比θｇＦｐは０．５３７５である。
【００５５】
以上、本発明の好ましい実施形態について説明したが、本発明はこれらの実施形態に限定されず、その要旨の範囲内で種々の変形及び変更が可能である。
【００５６】
次に図９の撮像装置としての一眼レフカメラについて説明する。図９において、１０は実施例１乃至４までのズームレンズ１よりなる撮像光学系である。撮像光学系１０は保持部材である鏡筒２に保持されている。２０はカメラ本体である。カメラ本体２０はクイックリターンミラー３、焦点板４、ペンタダハプリズム５、接眼レンズ６等によって構成されている。クイックリターンミラー３は、撮像光学系１０からの光束を上方に反射する。焦点板４は撮像光学系１０の像形成位置に配置されている。ペンタダハプリズム５は焦点板４に形成された逆像を正立像に変換する。
【００５７】
観察者は、その正立像を、接眼レンズ６を介して観察する。７は感光面であり、像を受光するＣＣＤセンサやＣＭＯＳセンサ等の撮像素子（光電変換素子）が配置される。撮影時にはクイックリターンミラー３が光路から退避して、感光面７上に撮像光学系１０によって像が形成される。
【００５８】
このようにズームレンズを一眼レフカメラ交換レンズ等の撮像光学系として適用することにより、高い光学性能を有する撮像装置を実現している。尚、本発明のズームレンズは、デジタルカメラ・ビデオカメラ等の他に望遠鏡、双眼鏡、複写機、プロジェクタ等の光学機器にも適用できる。またクイックリターンミラーのないミラーレスの一眼レフカメラにも適用することができる。
【００５９】
以下に、実施例１乃至４に各々対応する数値データ１乃至４を示す。各数値データにおいて、ｉは物体側からの面の順番を示し、ｒｉは第ｉ番目（第ｉ面）の曲率半径、ｄｉは第ｉ面と第ｉ＋１面との間の間隔、ｎｄｉ、νｄｉはそれぞれｄ線を基準とした屈折率、アッベ数を示す。ＢＦは空気換算でのバックフォーカスである。レンズ全長は第１レンズ面から最終レンズ面までの距離にバックフォーカスの値を加えた値である。
【００６０】
また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ａ４、Ａ６、Ａ８、Ａ１０を各次数の非球面係数とするとき、
【００６１】
【数１】
2019113610.tif 000003
【００６２】
で表す。なお、各非球面係数における「ｅ±ＸＸ」は「×１０±ＸＸ」を意味している。また、表１に前述の各条件式に相当する数値を示す。
【００６３】
（数値データ１）
単位 mm
面データ
面番号       r        d      nd         νd
1         35.748    0.80   1.94595    18.0           
2         25.706    3.30   1.80420    46.5           
3        543.180  (可変)                             
4         80.064    0.70   1.77444    49.2           
5          9.248    5.71                             
6*       -15.545    0.40   1.72897    54.1           
7        110.339    0.10                             
8         41.819    1.06   1.95906    17.5           
9       -138.749  (可変)                             
10(絞り)    ∞     (可変)                             
11*        13.691    3.03   1.72933    54.0           
12*       -42.930    0.10                             
13          9.121    2.43   1.81500    43.9           
14         34.741    0.40   1.85478    24.8           
15          6.849    2.59                             
16          ∞     (可変)                             
17         30.040    1.66   1.49700    81.5           
18        -35.458  (可変)                             
19        -16.381    1.77   1.48749    70.2           
20         -8.842    0.40   1.83481    42.7           
21*       -26.610  (可変)                             
22         22.374    3.14   1.58137    52.5           
23        -52.492  (可変)                             
像面        ∞   
【００６４】
非球面データ
第6面
K = 0.00000e+000  A 4=-1.31742e-005  A 6=-4.55564e-007  A 8=-4.19545e-009  A10= 9.51074e-011  
第11面
K = 0.00000e+000  A 4=-5.73243e-005  A 6= 2.32783e-007  
第12面
K = 0.00000e+000  A 4= 1.51306e-005  A 6= 3.05920e-007  A 8= 1.25557e-009  A10=-1.61164e-011  
第21面
K = 0.00000e+000  A 4= 4.29039e-005  A 6=-4.64752e-007  A 8= 2.32581e-008  A10=-4.09714e-010  
【００６５】
各種データ
ズーム比     4.71 
広角     中間     望遠
焦点距離       9.06    20.45    42.68  
Fナンバー      2.06     3.09     4.12  
半画角（度）   35.52    20.52    10.47  
像高           6.47     7.65     7.89  
レンズ全長    58.00    62.54    75.00  
BF             6.06    12.67    10.31  
d 3            0.30     8.09    16.91  
d 9           11.11     2.47     0.70  
d10            5.69     3.44     1.20  
d16            2.62     2.84     1.20  
d18            1.47     3.63     8.84  
d21            3.17     1.82     8.26  
d23            6.06    12.67    10.31  
レンズ群データ
群  始面    焦点距離  
1    1      51.02  
2    4      -9.47  
3   11      15.03  
4   17      33.00  
5   19     -26.69  
6   22      27.41  
【００６６】
（数値データ２）
単位 mm
面データ
面番号       r        d      nd         νd
1         28.210    0.80   1.94595    18.0           
2         21.256    3.83   1.80420    46.5           
3        150.202  (可変)                             
4         63.578    0.70   1.88202    37.2           
5*         9.748    4.42                             
6        -37.766    0.40   1.88202    37.2           
7         22.940    0.10                             
8         20.324    1.80   1.95906    17.5           
9        -68.337    0.91                             
10        -16.009    0.40   1.77250    49.6           
11        -40.867  (可変)                             
12(絞り)    ∞     (可変)                             
13*        14.347    3.82   1.71505    54.7           
14*       -31.882    0.10                             
15         13.881    3.03   1.77250    49.6           
16        -99.860    0.40   1.85478    24.8           
17         10.916    3.69                             
18          ∞     (可変)                             
19         28.578    4.68   1.59522    67.7           
20         -7.281    0.40   1.72916    54.7           
21        -21.269  (可変)                             
22        -12.810    0.40   1.72916    54.7           
23        -52.805  (可変)                             
24*        25.826    2.18   1.85135    40.1           
25        989.614  (可変)                             
像面        ∞   
【００６７】
非球面データ
第5面
K = 0.00000e+000  A 4= 7.75867e-006  A 6= 1.03138e-006  A 8=-3.15169e-008  A10= 5.73780e-010  
第13面
K = 0.00000e+000  A 4=-4.68525e-005  A 6= 1.15717e-007  
第14面
K = 0.00000e+000  A 4= 4.23102e-005  A 6= 4.09057e-010  A 8= 2.49087e-009  A10=-1.77132e-011  
第24面
K = 0.00000e+000  A 4=-1.40091e-005  A 6= 2.07206e-007  A 8=-7.68794e-010  A10= 1.07827e-014  
【００６８】
各種データ
ズーム比     4.69 
広角     中間     望遠
焦点距離       9.06    19.98    42.50  
Fナンバー      1.85     2.50     2.88  
半画角（度）   35.52    20.96    10.52  
像高           6.47     7.65     7.89  
レンズ全長    61.50    64.46    74.50  
BF             4.58    10.07     7.43  
d 3            0.30     7.15    15.05  
d11           11.22     2.94     0.70  
d12            5.52     3.36     1.20  
d18            3.18     1.42     1.20  
d21            0.89     4.23     9.14  
d23            3.76     3.24     7.74  
d25            4.58    10.07     7.43  
レンズ群データ
群  始面    焦点距離  
1    1      45.49  
2    4      -8.45  
3   13      14.89  
4   19      28.00  
5   22     -23.29  
6   24      31.12  
【００６９】
（数値データ３）
単位 mm
面データ
面番号       r        d      nd         νd
1         29.988    0.80   1.94595    18.0           
2         22.821    3.51   1.80420    46.5           
3        129.055  (可変)                             
4         66.530    0.70   1.88202    37.2           
5*        10.469    4.54                             
6        -45.781    0.40   1.88202    37.2           
7         43.487    0.10                             
8         25.818    1.74   1.95906    17.5           
9        -78.185    1.02                             
10        -17.234    0.40   1.77250    49.6           
11        -80.350  (可変)                             
12(絞り)    ∞     (可変)                             
13*        13.672    3.83   1.78086    48.3           
14*       -34.303    0.10                             
15         12.002    3.46   1.49695    81.6           
16       -124.118    0.40   1.85478    24.8           
17          9.243  (可変)                             
18         33.948    2.07   1.49700    81.5           
19        -26.472  (可変)                             
20         14.272    2.89   1.63694    35.9           
21        -33.629  (可変)                             
22        -20.390    0.40   1.88236    37.2           
23         15.357  (可変)                             
24*        25.056    2.20   1.85135    40.1           
25        290.032  (可変)                             
像面        ∞   
【００７０】
非球面データ
第5面
K = 0.00000e+000  A 4= 3.67272e-006  A 6= 3.21767e-007  A 8=-6.27558e-009  A10= 1.44654e-010  
第13面
K = 0.00000e+000  A 4=-5.64138e-005  A 6=-1.36603e-007  
第14面
K = 0.00000e+000  A 4= 3.91437e-005  A 6=-1.55738e-007  A 8= 7.92017e-010  A10= 2.40964e-012  
第24面
K = 0.00000e+000  A 4=-7.53019e-006  A 6= 2.38999e-007  A 8=-6.38981e-010  A10= 1.07827e-014  
【００７１】
各種データ
ズーム比     4.69 
広角     中間     望遠
焦点距離       9.06    15.52    42.50  
Fナンバー      1.85     2.50     2.88  
半画角（度）   35.52    26.25    10.52  
像高           6.47     7.65     7.89  
レンズ全長    61.50    58.21    73.50  
BF             3.05     6.06     7.33  
d 3            0.29    -0.11    16.51  
d11           12.41     5.76     0.69  
d12            5.57     3.38     1.19  
d17            5.49     3.61     2.85  
d19            0.89     0.40     1.83  
d21            0.96     1.41     2.76  
d23            4.30     9.14    11.78  
d25            3.05     6.06     7.33  
レンズ群データ
群  始面    焦点距離  
1    1      51.10  
2    4      -9.34  
3   13      17.45  
4   18      30.27  
5   20      16.11  
6   22      -9.88  
7   24      32.09  
【００７２】
（数値データ４）
単位 mm
面データ
面番号       r        d      nd         νd
1         38.292    0.94   1.94595    18.0           
2         25.320    4.00   1.83481    42.7           
3        548.892  (可変)                             
4*        80.887    0.80   1.85135    40.1           
5*        10.835    3.57                             
6        -39.238    0.55   1.88300    40.8           
7         48.662    0.05                             
8         23.994    1.93   1.95906    17.5           
9        -67.714    0.90                             
10        -18.567    0.48   1.83481    42.7           
11       -170.195  (可変)                             
12(絞り)    ∞     (可変)                             
13*        13.292    2.85   1.85135    40.1           
14*       -62.944    0.10                             
15         12.849    2.43   1.69560    59.0           
16       -106.992    0.45   1.85478    24.8           
17          8.587    3.06                             
18          ∞     (可変)                             
19         15.325    2.55   1.49700    81.5           
20      -1681.932  (可変)                             
21*        36.298    1.73   1.72903    54.0           
22       -145.333  (可変)                             
23        -18.822    0.55   1.90043    37.4           
24       -772.324    0.05                             
25*        20.207    1.75   1.85135    40.1           
26*        56.757  (可変)                             
27          ∞       1.20   1.51633    64.1           
28          ∞       1.00                             
像面        ∞   
【００７３】
非球面データ
第4面
K = 0.00000e+000  A 4= 2.71243e-005  A 6=-5.75446e-007  A 8= 5.18260e-009  A10=-2.06527e-011  
第5面
K =-2.62097e+000  A 4= 2.94628e-004  A 6=-6.65731e-007  A 8=-5.22277e-009  A10= 3.65141e-010  A12=-2.74055e-012  
第13面
K = 0.00000e+000  A 4=-5.21935e-005  A 6= 1.81936e-007  A 8=-7.42691e-009  A10= 1.09338e-010  A12=-1.22463e-012  
第14面
K = 0.00000e+000  A 4= 2.66571e-005  A 6= 1.12403e-007  A 8=-3.08743e-009  
第21面
K = 0.00000e+000  A 4=-1.52341e-005  A 6=-4.32015e-007  A 8= 5.95260e-009  A10=-5.82937e-011  
第25面
K = 0.00000e+000  A 4=-1.50082e-004  A 6= 1.11431e-006  A 8=-5.09258e-009  A10= 2.73515e-011  
第26面
K = 0.00000e+000  A 4=-1.19959e-004  A 6= 8.25203e-007  
【００７４】
各種データ
ズーム比     4.71 
広角     中間     望遠
焦点距離       9.06    19.11    42.70  
Fナンバー      1.85     2.54     2.88  
半画角（度）   35.52    21.62    10.47  
像高           6.47     7.57     7.89  
レンズ全長    60.21    63.39    75.55  
BF             3.77     8.05     8.00  
d 3            0.38     7.35    18.93  
d11           12.05     2.86     0.35  
d12            4.27     3.58     0.55  
d18            3.98     2.64     1.35  
d20            4.04     5.60     9.30  
d22            2.98     4.58     8.32  
d26            1.98     6.26     6.21  
レンズ群データ
群  始面    焦点距離  
1    1      52.82  
2    4      -9.62  
3   13      18.06  
4   19      30.57  
5   21      40.00  
6   23     -52.24  
【００７５】
【表１】
2019113610.tif 000004
【符号の説明】
【００７６】
ＬＡ  ズームレンズ      ＬＲ  後群      Ｂ１  第１レンズ群
Ｂ２  第２レンズ群      Ｂ３  第３レンズ群      Ｂ４  第４レンズ群
ＳＰ  開口絞り
【図１】
2019113610.tif 000005
【図２】
2019113610.tif 000006
【図３】
2019113610.tif 000007
【図４】
2019113610.tif 000008
【図５】
2019113610.tif 000009
【図６】
2019113610.tif 000010
【図７】
2019113610.tif 000011
【図８】
2019113610.tif 000012
【図９】
2019113610.tif 000013
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、開口絞り、正の屈折力の第３レンズ群、正の屈折力の第４レンズ群、１つ以上のレンズ群を有する後群より構成され、ズーミングに際して、隣り合うレンズ群の間隔が変化するズームレンズにおいて、
前記第４レンズ群は正レンズを有し、
広角端から望遠端へのズーミングに際しての前記第４レンズ群の移動量をｍ４、広角端における前記開口絞りと前記第４レンズ群との距離をＤｓ４ｗ、望遠端における前記開口絞りと前記第４レンズ群との距離をＤｓ４ｔ、前記第４レンズ群の焦点距離をｆ４、広角端における前記ズームレンズの焦点距離をｆｗ、広角端におけるレンズ全長をＬｗ、前記正レンズの材料のｄ線を基準としたアッベ数をνｄｐ、前記正レンズの材料のｇ線とＦ線における部分分散比をθｇＦｐとするとき、
０．２＜−ｍ４／Ｌｗ＜１．０
０．１＜（Ｄｓ４ｗ−Ｄｓ４ｔ）／Ｌｗ＜０．２
３．０＜ｆ４／ｆｗ＜４．５
０．０＜θｇＦｐ―（０．６４３８―０．００１６８２×νｄｐ）
なる条件式を満足することを特徴とするズームレンズ。
【請求項２】
前記正レンズの材料のｄ線を基準としたアッベ数νｄｐは、
νｄｐ＞６０
なる条件式を満足することを特徴とする請求項１に記載のズームレンズ。
【請求項３】
広角端における前記開口絞りと前記第３レンズ群との距離をＤｓ３ｗ、望遠端における前記開口絞りと前記第３レンズ群との距離をＤｓ３ｔとするとき、
０．０＜（Ｄｓ３ｗ−Ｄｓ３ｔ）／Ｌｗ＜０．２
なる条件式を満足することを特徴とする請求項１または２に記載のズームレンズ。
【請求項４】
広角端における前記第４レンズ群と像面との距離をＤ４ｉｗとするとき、
０．０＜Ｄ４ｉｗ／Ｌｗ＜０．３
なる条件式を満足することを特徴とする請求項１乃至３のいずれか１項に記載のズームレンズ。
【請求項５】
望遠端における前記ズームレンズの焦点距離をｆｔとするとき、
０．４＜ｆ４／ｆｔ＜０．８
なる条件式を満足することを特徴とする請求項１乃至４のいずれか１項に記載のズームレンズ。
【請求項６】
前記第４レンズ群は、１枚の正レンズからなることを特徴とする請求項１乃至５のいずれか１項に記載のズームレンズ。
【請求項７】
前記第４レンズ群は、正レンズと負レンズを接合した接合レンズからなることを特徴とする請求項１乃至５のいずれか１項に記載のズームレンズ。
【請求項８】
広角端における前記第１レンズ群から前記第４レンズ群までのレンズ系の合成焦点距離をｆ１２３４ｗとするとき、
０．８＜ｆ１２３４ｗ／ｆｗ＜１．５
なる条件式を満足することを特徴とする請求項１乃至７のいずれか１項に記載のズームレンズ。
【請求項９】
前記後群は、２つ以上のレンズ群を有することを特徴とする請求項１乃至８のいずれか１項に記載のズームレンズ。
【請求項１０】
前記後群は、物体側から像側へ順に配置された、負の屈折力の第５レンズ群、正の屈折力の第６レンズ群から構成されることを特徴とする請求項９に記載のズームレンズ。
【請求項１１】
前記後群は、物体側から像側へ順に配置された、正の屈折力の第５レンズ群、負の屈折力の第６レンズ群、正の屈折力の第７レンズ群から構成されることを特徴とする請求項９に記載のズームレンズ。
【請求項１２】
前記後群は、物体側から像側へ順に配置された、正の屈折力の第５レンズ群、負の屈折力の第６レンズ群から構成されることを特徴とする請求項９に記載のズームレンズ。
【請求項１３】
広角端から望遠端へのズーミングに際し、前記第１レンズ群は像側に凸状の軌跡で移動し、前記第３レンズ群は物体側へ移動し、前記第４レンズ群は物体側へ移動することを特徴とする請求項１乃至１２のいずれか１項に記載のズームレンズ。
【請求項１４】
請求項１乃至１３のいずれか１項に記載のズームレンズと、前記ズームレンズによって形成される像を受光する光電変換素子とを有することを特徴とする撮像装置。
【手続補正２】
【補正対象書類名】明細書
【補正対象項目名】００１４
【補正方法】変更
【補正の内容】
【００１４】
本発明のズームレンズは、物体側より像側へ順に配置された、正の屈折力の第１レンズ群、負の屈折力の第２レンズ群、開口絞り、正の屈折力の第３レンズ群、正の屈折力の第４レンズ群、１つ以上のレンズ群を有する後群より構成され、ズーミングに際して、隣り合うレンズ群の間隔が変化するズームレンズにおいて、
前記第４レンズ群は正レンズを有し、
広角端から望遠端へのズーミングに際しての前記第４レンズ群の移動量をｍ４、広角端における前記開口絞りと前記第４レンズ群との距離をＤｓ４ｗ、望遠端における前記開口絞りと前記第４レンズ群との距離をＤｓ４ｔ、前記第４レンズ群の焦点距離をｆ４、広角端における前記ズームレンズの焦点距離をｆｗ、広角端におけるレンズ全長をＬｗ、前記正レンズの材料のｄ線を基準としたアッベ数をνｄｐ、前記正レンズの材料のｇ線とＦ線における部分分散比をθｇＦｐとするとき、
０．２＜−ｍ４／Ｌｗ＜１．０
０．１＜（Ｄｓ４ｗ−Ｄｓ４ｔ）／Ｌｗ＜０．２
３．０＜ｆ４／ｆｗ＜４．５
０．０＜θｇＦｐ―（０．６４３８―０．００１６８２×νｄｐ）
なる条件式を満足することを特徴としている。
【手続補正３】
【補正対象書類名】明細書
【補正対象項目名】００３０
【補正方法】変更
【補正の内容】
【００３０】
広角端における開口絞りＳＰと第４レンズ群Ｂ４との距離をＤｓ４ｗ、望遠端における開口絞りＳＰと第４レンズ群Ｂ４との距離をＤｓ４ｔとする。第４レンズ群Ｂ４の焦点距離をｆ４、広角端におけるズームレンズの焦点距離をｆｗ、広角端におけるレンズ全長をＬｗとする。第４レンズ群Ｂ４は正レンズを有し、第４レンズ群Ｂ４に含まれる正レンズＧｐの材料のｄ線を基準としたアッベ数をνｄｐ、正レンズＧｐの材料のｇ線とＦ線における部分分散比をθｇＦｐとする。
【手続補正４】
【補正対象書類名】明細書
【補正対象項目名】００４０
【補正方法】変更
【補正の内容】
【００４０】
本発明において、更に好ましくは以下の条件式の１つ以上を満足することが望ましい。広角端における開口絞りＳＰと、第３レンズ群Ｂ３との距離をＤｓ３ｗとする。望遠端における開口絞りＳＰと、第３レンズ群Ｂ３との距離をＤｓ３ｔとする。広角端における第４レンズ群Ｂ４と像面との距離をＤ４ｉｗとする。望遠端におけるズームレンズの焦点距離をｆｔとする。広角端における第１レンズ群Ｂ１から第４レンズ群Ｂ４までのレンズ系の合成焦点距離をｆ１２３４ｗとする。
【手続補正５】
【補正対象書類名】明細書
【補正対象項目名】００４６
【補正方法】変更
【補正の内容】
【００４６】
条件式（８）は、広角端と望遠端における軸上色収差と倍率色収差を良好に補正するためのものであり、第４レンズ群Ｂ４の焦点距離と望遠端におけるズームレンズの焦点距離との比を適切に定めたものである。条件式（８）の上限値を超えて、第４レンズ群Ｂ４の正の屈折力が弱くなると、広角端と望遠端において軸上色収差と倍率色収差を良好に補正することが困難になる。条件式（８）の下限値を超えて、第４レンズ群Ｂ４の正の屈折力が強くなると、ズーミングに際しての軸上色収差の変動を低減することが困難になる。
【手続補正６】
【補正対象書類名】明細書
【補正対象項目名】００４７
【補正方法】変更
【補正の内容】
【００４７】
条件式（９）は、広角端における倍率色収差を良好に補正するためのものであり、広角端における第１レンズ群Ｂ１から第４レンズ群Ｂ４までのレンズ系の合成焦点距離と広角端におけるズームレンズの焦点距離との比を適切に定めたものである。条件式（９）の上限値を超えて、広角端における第１レンズ群Ｂ１から第４レンズ群Ｂ４までのレンズ系の屈折力が広角端におけるレンズ全系の屈折力と比べて弱くなると、第４レンズ群Ｂ４より像側にある後群ＬＲの屈折力が大きくなる。すると、第４レンズ群Ｂ４における軸外主光線の入射高さが低くなり、広角端における倍率色収差を良好に補正することが困難になる。
【手続補正７】
【補正対象書類名】明細書
【補正対象項目名】００４８
【補正方法】変更
【補正の内容】
【００４８】
条件式（９）の下限値を超えて、広角端における第１レンズ群Ｂ１から第４レンズ群Ｂ４までのレンズ系の屈折力が広角端におけるズームレンズの屈折力と比べて強くなると、第４レンズ群Ｂ４より像側にある後群ＬＲの屈折力が負となる。すると、第４レンズ群Ｂ４における軸外主光線の入射高さが低くなり、広角端における倍率色収差を良好に補正することが困難になる。また、軸外光束の像面への入射角を小さくすることが困難になる。